(57)【要約】【課題】甲部分と踵部分を有する靴を簡単に吊り下げることができ、不使用時には邪魔にならない靴用ハンガー及び靴用ハンガースタンド装置を提供する。【解決手段】図１は本発明に係る靴用ハンガースタンド装置１の一実施例を示しており、想像線で示すブーツ４の吊り下げに使用した状態及び靴用ハンガーの不使用状態を示している。靴用ハンガースタンド装置１は、一対の靴用ハンガー２とスタンド３とから構成されている。靴用ハンガー２はステンレススチールで形成されており、保持部材２１と保形部材２２と吊下部材２３から構成されている。保持部材２１は吊下部材２３の下端部に連結して設けられており、保持部材２１の長手方向の中間部近傍に設けられた揺動軸部２１２を中心として、両側が上下に揺動可能に形成されている。【選択図】        図１
2005058481.tif 000002
【特許請求の範囲】
【請求項１】
吊下部材と、
吊下部材に上下方向へ揺動可能に設けてあり、靴内部に挿入し靴を吊り下げた状態で保持する保持部材と、
を備えており、
保持部材は、
揺動中心部を挟んで、一方側に靴の甲部分の内側に係合する甲係合部を有し、他方側に、靴の踵部分の内側に係合する踵係合部を有していることを特徴とする、
靴用ハンガー。
【請求項２】
保持部材は、踵係合部側が甲係合部側より重くなるよう構成して不使用時において踵係合部側が下がって保持部材が吊下部材に沿うよう構成してあることを特徴とする、
請求項１記載の靴用ハンガー。
【請求項３】
吊下部材または／および保持部材は、筒部を有する靴の筒部の形状が崩れにくいようにする保形部材を備えていることを特徴とする、
請求項１または２記載の靴用ハンガー。
【請求項４】
保形部材は、保持部材の踵係合部側または甲係合部側に設けられ、吊下部材に沿って昇降できるよう構成されていることを特徴とする、
請求項３記載の靴用ハンガー。
【請求項５】
請求項１、２、３または４記載の所要数の靴用ハンガーと、
靴用ハンガーを吊り下げる自立性を有するスタンドと、
を備えていることを特徴とする、
靴用ハンガースタンド装置。
【発明の詳細な説明】
【技術分野】
【０００１】
本発明は、靴用ハンガーに関する。更に詳しくは、靴を甲部と踵部で係合して吊り下げることができるようにしたものに関する。
また、靴を吊り下げない状態のときは出張り部分が少なくなるようにして邪魔にならないようにしたものに関する。
更に、長靴、ブーツの場合、筒部を変形させたり傷めることなく筒部を開口させて通気をよくした状態で吊り下げることができるようにしたものに関する。
【背景技術】
【０００２】
従来、一般家庭において、ブーツ、長靴等（以下、単に「ブーツ」という。）は、通常の靴と比較して、嵩張るために収納に場所を取るという欠点があった。特に、長尺のブーツをそのままの形で収納しようとした場合、縦に収納すれば高さが必要となり、横向きに収納しても幅方向に場所を必要とするため、収まりが悪かった。
また、一般的に、丈の長いブーツ等は、足首より上の筒部が軟弱で変形しやすいため、折りたたんで収納することもできる。しかし、折りたたんだ部分が皺になりやすく、型がくずれやすいという課題がある。また、脱いだブーツをすぐに折りたたんで収納すると、履き口から内部の湿気が抜けず内部にカビが発生しやすいという課題もある。
上記のようなブーツの収納の課題を解消するために、下記の特許文献１及び特許文献２に示すようなブーツハンガーが提案されている。
【特許文献１】特開平１０−１１３４９７号公報
【特許文献２】特開２００２−５１８５０号公報
【発明の開示】
【発明が解決しようとする課題】
【０００３】
特許文献１に記載されたものは、ブーツの履き口周縁部をクリップで挟み吊り下げして保持するものである。また、特許文献２に記載されたものは、ばね力で外方向に広がる部材を靴内部に挿入し、ブーツ内周部に係合させて保持するものである。
しかし、いずれの方法でブーツを保持する場合であっても、ブーツの履き口周縁部が伸びてしまう課題があった。特に、女性用ブーツはファッション性が重視されているため、履き口周縁が伸びて緩んでしまうと、着用の際に脚部とフィットしなくなるため、見た目が悪くなる。
上記課題に加えて、特許文献１及び特許文献２に記載された発明のように、ブーツの保管に際しては、履き口が開口した状態で収納しないと内部が乾燥した状態に保たれず、靴の内部にカビが発生しやすい課題もある。
【０００４】
（発明の目的）
そこで本発明の目的は、甲部分と踵部分を有する靴を簡単に吊り下げることができる靴用ハンガーを提供することにある。
また、本発明の他の目的は、不使用時には邪魔にならない靴用ハンガーを提供することにある。
更に、本発明の他の目的は、ブーツの筒部に負担をかけずに筒部を伸ばした状態で、吊り下げて収納ができる、靴用ハンガーを提供することにある。
更にまた、本発明の他の目的は、靴の収納に際して、靴の履き口を開口させて筒部を開いた状態にし、筒部の変形を防止して皺ができにくくする、靴用ハンガーを提供することにある。
【０００５】
また、本発明の他の目的は、甲皮部分と踵部分を有する靴を吊り下げることができる靴用ハンガースタンド装置を提供することにある。
【課題を解決するための手段】
【０００６】
上記目的を達成するために講じた本発明の手段は次のとおりである。
第１の発明にあっては、
吊下部材と、
吊下部材に上下方向へ揺動可能に設けてあり、靴内部に挿入し靴を吊り下げた状態で保持する保持部材と、
を備えており、
保持部材は、
揺動中心部を挟んで、一方側に靴の甲部分の内側に係合する甲係合部を有し、他方側に、靴の踵部分の内側に係合する踵係合部を有していることを特徴とする、
靴用ハンガーである。
【０００７】
第２の発明にあっては、
保持部材は、踵係合部側が甲係合部側より重くなるよう構成して不使用時において踵係合部側が下がって保持部材が吊下部材に沿うよう構成してあることを特徴とする、
第１の発明に係る靴用ハンガーである。
【０００８】
第３の発明にあっては、
吊下部材または／および保持部材は、筒部を有する靴の筒部の形状が崩れにくいようにする保形部材を備えていることを特徴とする、
第１または第２の発明に係る靴用ハンガーである。
【０００９】
第４の発明にあっては、
保形部材は、保持部材の踵係合部側または甲係合部側に設けられ、吊下部材に沿って昇降できるよう構成されていることを特徴とする、
第３の発明に係る靴用ハンガーである。
【００１０】
第５の発明にあっては、
第１、第２、第３または第４の発明に係る所要数の靴用ハンガーと、
靴用ハンガーを吊り下げる自立性を有するスタンドと、
を備えていることを特徴とする、
靴用ハンガースタンド装置である。
【００１１】
本明細書及び本請求の範囲にいう「吊下部材または／および保持部材」には、吊下部材または保持部材のいずれか一方を含む場合もあるし、あるいは、吊下部材および保持部材の両方を含む場合もある。
【００１２】
（作  用）
本発明に係るハンガーを使用して靴を収容する場合、保持部材の甲係合部を靴の中に挿入し、踵係合部を靴の腰革のうち踵部分の内部に係合する。そして吊下部材を引き上げると、甲係合部は甲部分の内側に、踵係合部は踵部分の内側に係合して靴は略水平状態に吊り下げられる。
この状態で、吊下部材を適宜箇所、例えばスタンドに掛けることによって靴を宙づり状態で収納できる。
【００１３】
保持部材は、踵係合部側が甲係合部側より重くなるよう構成してあるために保持部材から靴を取り除くと踵係合部側が自重で下がり、保持部材は全体が吊下部材に沿った状態となる。このため張り出し部分が少なく不使用時に吊下部材を吊り下げていても邪魔にならない。
【００１４】
保形部材を備えているハンガーは、靴がブーツの場合に好適に使用される。
保持部材で靴を吊り下げる手順は、上記の場合と同じであるが、ブーツが吊り下げられた状態では、保形部材がブーツの筒部の保形機能を果たすために、型くずれを防止できる。なお、この場合において保形部材が吊下部材に沿って昇降できるよう構成されていると不使用時に吊下部材を吊り下げていても邪魔にならない。
【発明の効果】
【００１５】
本発明によれば、次の効果を奏する。
（１）甲部分と踵部分を有する靴を保持部材で係合し、吊下部材を適宜箇所またはハンガースタンドに掛けることによって簡単に吊り下げた状態で収納できる。
また、靴を簡単に吊り下げることができるため、単に靴を宙づりで収納するだけでなく、展示用のハンガーとしても利用できる。
【００１６】
（２）不使用時に保持部材が吊下部材に沿うよう構成してあるものは、吊下部材を吊り下げた状態で収納しても張り出し部分が少なく邪魔にならない。
【００１７】
（３）保形部材を備えているハンガーは、ブーツの筒部に負担をかけずに筒部を伸ばした状態で、吊り下げて収納ができる。
【００１８】
（４）靴の収納に際して、靴の履き口を開口させて筒部を開いた状態にし、筒部の変形を防止して皺ができにくくする、靴用ハンガーを提供することができる。
【００１９】
（５）本発明に係る所要数の靴用ハンガーと、靴用ハンガーを吊り下げる自立性を有するスタンドとを備えている靴用ハンガースタンド装置は、靴の保管に好適であり、また、不使用時においても見た目にまとまりがよく、収納・保管に必要な場所が小さくて済み、玄関内、上がり口、靴箱内、あるいは室内に独立して置くことができるので、一般家庭での使用に好適である。
【発明を実施するための最良の形態】
【００２０】
本発明の実施の形態を図面に基づき更に詳細に説明する。
図１は本発明に係る靴用ハンガースタンド装置の一実施例を示す斜視説明図で、一方の靴用ハンガーは不使用状態であり、他方の靴用ハンガーには想像線で示すブーツを吊り下げた使用状態を示している。
図２は本発明に係る靴用ハンガーの保持部材と保形部材の動作を示す説明図、
図３は本発明に係る靴用ハンガーでブーツを吊り下げた状態の断面図である。
【００２１】
図１に示すように靴用ハンガースタンド装置１は、一対の靴用ハンガー２と、スタンド３とから構成されている。
【００２２】
靴用ハンガー２は、ステンレススチールで形成されており、保持部材２１と保形部材２２と吊下部材２３から構成されている。
【００２３】
吊下部材２３は直線状の棒状体で、上端部には円環状に形成された掛着部２３１が設けられており、下端部には円環状に形成された連結部２３２が設けられている。この連結部２３２に保持部材２１は連結して設けられている。
【００２４】
保持部材２１は、全体形状が靴の中敷を形どった形状に形成してある。保持部材２１の前方側には、靴の甲部分の内側に係合する甲係合部２１１が、後方側には、靴の踵部分の内側に係合する踵係合部２１３がそれぞれ配置されている。
保持部材２１の長手方向の中間部近傍には、棒状の揺動軸部２１２が設けられている。揺動軸部２１２は、上述の吊下部材２３に係る連結部２３２に設けられた孔に挿通してあり、揺動軸部２１２を中心として、甲係合部２１１と踵係合部２１３は上下に揺動可能に形成されている。
【００２５】
上記したように、保持部材２１の揺動中心となる揺動軸部２１２を挟んで一方側である前方側には、甲係合部２１１が設けられている。甲係合部２１１は棒状体で形成されており、揺動軸部２１２端部から略円弧状に形成して設けられている。
【００２６】
保持部材２１の揺動軸部２１２を挟んで後方側である他方側には、踵係合部２１３が設けられている。揺動軸部２１２と正対する位置には、錘部２１４が設けられている。
錘部２１４は六角ボルト及びナットを組み合わせて形成され、間の部分は回転軸２１５が形成されている。
【００２７】
なお、踵係合部２１３に設けられた錘部２１４は、甲係合部２１１側より重くなるよう構成してあるため、不使用時において、踵係合部２１３側が下がって保持部材２１が吊下部材２３に沿うように作用する。（図２参照）
【００２８】
保形部材２２は、保形体２２１と当接体２２２とから構成されている。
保形体２２１は、棒状体を曲げて、吊下部材２３に沿うように、かつ緩やかに外側に膨らむよう曲がった形状に形成されている。図１で示す上端部には円環状に形成された取着部２２３が設けられており、下端部には六角ナット状に形成された取着体２２４が設けられている。
取着部２２３は、吊下部材２３の棒状部分に沿って摺動できるように嵌め入れてあり、図２に示すように上下に昇降あるいは摺動可能に形成されている。
取着体２２４は、保持部材２１に係る錘部２１４に形成された回転軸２１５と連結され、図２に示すように揺動可能に形成されている。
【００２９】
当接体２２２は、棒状体で形成された円環を正対する２箇所で略直角（側面視で、くの字状）に曲げて形成された部材であり、上記円環の鋭角に曲げられた側を、保形体２２１側に向けて、保形体２２１中央近傍に溶接して設けられている。
【００３０】
本実施の形態において、靴用ハンガー及び保形部材は主に棒状体で形成されているが、これに限定するものではなく、他の形状、例えば、保持係合部材を板状体によって形成したもの等であってもよい。
また、保形部材は上下に昇降あるいは摺動可能に形成されているが、これに限定するものではなく、例えば、保持部材２１の動きに干渉しない位置に固定した状態で設けてもよい。
【００３１】
次に図１を参照して、スタンド３について説明する。
スタンド３は、棒状のステンレススチールで形成されており、支柱３１、腕部材３２、支柱基部３４から構成されている。
腕部材３２は、支柱３１の上端に水平に設けられており、腕部材３２と支柱３１は略Ｔ字状になるよう溶接してある。
腕部材３２の両端部には、下方に向けて折り曲げて形成された、鈎状部３２１が設けてある。
【００３２】
支柱基部３３は、棒状体を曲げて円環状に形成されており、支柱基部３３の内縁部の３カ所から円の中心に向かって接合体３４が延設されている。支柱３１下端部は、３本の接合体３４が交わる部分で溶接されている。
【００３３】
腕部材３２にかかる鈎状部３２１には、靴用ハンガー２が吊り下げして取り付けてある。
【００３４】
本実施の形態において、靴用ハンガー及び靴用ハンガースタンドは、ステンレススチールで形成しているが、これに限定するものではなく、例えば、アルミニウム合金、銅、チタン等の他の金属、合成樹脂、木材、竹材等、あるいはこれらを組み合わせで形成したものであってもよい。
（作  用）
【００３５】
図１ないし図４を参照して、本実施の形態に係る靴用ハンガースタンド装置１の作用を説明する。
ブーツ４（図１において想像線で示している）を係合して吊り下げる場合は次のように行う。
保持部材２１は、図２に示す矢印の方向に揺動可能である。想像線で示すように、保持部材２１の甲係合部２１１が下方向に位置するよう押し下げ、保持部材２１をブーツの履き口４４から挿入する。
【００３６】
保持部材２１を挿入後、靴用ハンガー２を持ち上げ、保持部材２１がブーツ４の内底部にくると、ブーツ４内部では、保持部材２１は錘部２４１の重さによって踵係合部２１４が下がり、反対に甲係合部２１１は上がるように揺動する。
これによりブーツ４内部の空間では、甲皮４１の内部側に甲係合部２１１が係合され、腰革４２に踵係合部１３にかかる錘部２１４及び連結部２２４が係合される。これにより、ブーツ４内部に保持部材２１が係止するため、ブーツ４を吊り下げて保持できる。（図３参照）
これにより、ブーツの筒部４３に負担をかけずに、筒部４３を伸びた状態で保持できる。
【００３７】
また、ブーツ４に係る筒部４３の内部では、保形体２２１がブーツの正面及び背面方向に、当接体２２２がブーツの両側方に、当接して筒部４３内部を押し広げる。これにより、履き口４４を開口させた状態で、ブーツ４を吊り下げて保持することができる。また、筒部４３が平たく潰れたようにならないので、次に履きやすい形が維持できる。
【００３８】
図１に示すように、スタンド３に設けられた腕部材３２両端部の鈎状部３２１に、靴用ハンガー２に係る掛着部２３１を引っ掛け、吊り下げて使用する。
【００３９】
なお、本実施の形態では、靴用ハンガーの吊り下げ手段としてスタンドを採用しているが、これに限定するものではなく、例えば、壁面、あるいはクローゼット、靴箱等の収納用具内部に設けた引掛部材に、本発明に係る靴用ハンガーを吊り下げてもよい。
【００４０】
図４は、靴用ハンガー２で短靴５を保持している状態を示している。
既に説明した図３の場合と同じく、短靴５の履き口５３から靴内部に保持部材２１を挿入し、甲皮５１に甲係合部２１１を係合させ、腰革５２に錘部２１４及び連結部２２４を係合させる。これにより短靴５は吊り下げて保持できる。
【００４１】
なお、本実施の形態中では、錘部２１４は六角ボルト及びナットを組み合わせて形成されているが、当該部分にゴム等樹脂の被膜を取り付けたり、模様を付したりすることにより、踵内に係合でき、更に滑りにくい形状にする加工を施しても良い。
【００４２】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【図面の簡単な説明】
【００４３】
【図１】本発明に係る靴用ハンガースタンド装置の一実施例を示す斜視説明図。
【図２】本発明に係る靴用ハンガーの保持部材と保形部材の動作を示す説明図。
【図３】本発明に係る靴用ハンガーでブーツを吊り下げた状態の断面図。
【図４】本発明に係る靴用ハンガーで短靴を吊り下げた状態の使用状態説明図。
【符号の説明】
【００４４】
１      靴用ハンガースタンド装置
２      靴用ハンガー
２１    係合部材
２１１  甲係合部
２１２  揺動軸部
２１３  踵係合部
２１４  錘部
２１５  回転軸
２２    保形部材
２２１  保形体
２２２  当接体
２２３  取着部
２２４  取着体
２３    吊下部材
２３１  掛着部
２３２  連結部
３      スタンド
３１    支柱
３２    腕部材
３２１  鉤状部
３３    支柱基部
３４    接合体
４      ブーツ
４１    甲皮
４２    腰革
４３    筒部
４４    履き口
５      短靴
５１    甲皮３１
５２    腰革
５３    履き口
【図１】
2005058481.tif 000003
【図２】
2005058481.tif 000004
【図３】
2005058481.tif 000005
【図４】
2005058481.tif 000006